(57)【要約】【課題】  ０価セレン、４価セレン及び６価セレンを除去するとともに、−２価セレンも除去して、有害物質とされるセレンを排水中から確実且つ容易に除去する排水処理方法及び排水処理装置を供給する。【解決手段】  前記排水中に含まれる−２価セレンを酸化剤により酸化する、又は前記排水中に含まれる−２価セレンを除去剤により除去するようにしてなるセレンを含む排水の排水処理方法及び排水処理装置。【選択図】  図１
2015077553.tif 000002
【特許請求の範囲】
【請求項１】
セレンを含む排水の排水処理方法であって、
前記排水中に含まれる−２価セレンを酸化剤により酸化する、又は前記排水中に含まれる―２価セレンを除去剤により除去するようにしてなることを特徴とする排水処理方法。
【請求項２】
前記酸化剤として過酸化水素水を用いることを特徴とする請求項１の排水処理方法。
【請求項３】
前記除去剤として塩化銀、塩化銅又は硫酸銅の何れかを用いることを特徴とする請求項１の排水処理方法。
【請求項４】
硝酸銀に塩酸を反応させることにより前記塩化銀を生成することを特徴とする請求項３の排水処理方法。
【請求項５】
前記過酸化水素水により前記−２価セレンを酸化させ、酸化させたセレンを含む前記排水中の前記０価セレン及び／又は４価セレンを水酸化鉄と共沈させて分離する共沈処理ステップを備えていることを特徴とする請求項２の排水処理方法。
【請求項６】
前記塩化銀に前記−２価セレンを吸着分離した後に、前記排水中の前記０価セレン及び／又は４価セレンを水酸化鉄と共沈させて分離する共沈処理ステップを備えていることを特徴とする請求項３又は４の排水処理方法。
【請求項７】
石炭ガス化発電施設から排出される排水中に含まれるセレンを除去装置する排水処理装置であって、
−２価セレン、０価セレン、４価セレン及び６価セレンが含まれた前記排水が流入する受入槽と、
前記−２価セレンを過酸化水素水を用いて酸化させる酸化槽、又は前記−２価セレンを硝酸銀と塩酸との反応により生成される塩化銀を用いて吸着沈殿させる除去槽と、
前記６価セレンを、還元剤を用いて前記０価セレン及び／又は４価セレンに還元する還元槽と、
前記反応槽から流入した前記排水中の前記０価セレン及び４価セレンを鉄共沈させて沈殿分離する沈殿槽と、
を備えていることを特徴とする排水処理装置。
【請求項８】
前記酸化槽又は前記除去槽は、前記受入槽から流入した前記排水中の揮発性物質を除去する曝気槽であることを特徴とする請求項１の排水処理装置。
【発明の詳細な説明】
【技術分野】
【０００１】
本発明は、排水処理方法及び排水処理装置に関し、より具体的には、セレンを含有する排水の排水処理方法及び排水処理装置に関する。
【背景技術】
【０００２】
従来、石炭ガス化複合発電施設（ＩＧＣＣ：Ｉｎｔｅｇｒａｔｅｄ ｃｏａｌ Ｇａｓｉｆｉｃａｔｉｏｎ Ｃｏｍｂｉｎｅｄ Ｃｙｃｌｅ）又はボイラ排ガス処理の脱硫装置から排出された排水中のセレンは、水質汚濁防止法に基づく有害物質であることから、排水処理工程において取り除くことが強く求められている。このようなセレンの除去方法としては、セレンの価数に応じて、鉄共沈法、イオン交換樹脂吸着法、微生物処理方法等を用いることが知られている（例えば、特許文献１、２及び３参照）。０価セレン（例えば、金属セレン）及び４価セレン（例えば、亜セレン酸イオン）は、鉄共沈法又はイオン交換樹脂吸着方法により吸着及び分離される。また、６価セレン（例えば、セレン酸イオン）は、イオン交換樹脂吸着法又は鉄共沈法により除去しにくい。このため、６価セレンは４価セレンに還元してから鉄共沈される。
【０００３】
しかしながら、石炭ガス化複合発電処理又はボイラ排ガス処理で還元雰囲気を通して処理された排水は、セレン有機化合物及び複数の形態のセレンを含んでいる。このような排水に対しては、従来の除去方法による効果は得られない。例えば、石炭ガス化複合発電施設から排出された排水は、−２価セレン（例えば、セレノシアン酸イオン）を含有している。掛かる−２価のセレンを従来の除去方法で除去することは困難である。
【先行技術文献】
【特許文献】
【０００４】
【特許文献１】特開２００５−２９１９６７号公報
【特許文献２】特開２００５−２９１９６８号公報
【特許文献３】特開２００６−１３６８４３号公報
【発明の概要】
【発明が解決しようとする課題】
【０００５】
前記事情に対して、本発明は、排水中に含まれる０価セレン、４価セレン及び６価セレンを除去するとともに、−２価セレンも除去することにより、排水中のセレンを確実且つ容易に除去する排水処理方法及び排水処理装置を供給することを目的とする。
【課題を解決するための手段】
【０００６】
前記目的を達成するため、本発明に係る排水処理方法は、セレンを含む排水の排水処理方法であって、前記排水中に含まれる−２価セレンを酸化剤により酸化する、又は前記排水中に含まれる−２価セレンを除去剤により除去するようにしてなることを特徴とする。
【０００７】
前記酸化剤としては、過酸化水素水を用いることが好適である。
【０００８】
また、前記除去剤としては、塩化銀、塩化銅又は硫酸銅の何れかを用いることが好適である。
【０００９】
塩化銀は、例えば、硝酸銀に塩酸を反応させることにより生成することができる。
【００１０】
過酸化水素水により前記−２価セレンを酸化させて得られるセレンは、後の共沈処理ステップで前記排水中にもとから存在する０価セレン及び／又は４価セレンとともに、水酸化鉄によって共沈させて分離することが好適である。
【００１１】
このような形態では、−２価セレンは、−２価セレンを除去・分離するための処理設備を別途設ける必要がなく、０価セレン及び／又は４価セレンを除去・分離するための処理方法を利用して除去される。したがって、排水処理設備のためのコストを増大することなく、排水に含まれる形態の異なるセレンを除去することができる。
【００１２】
また、塩化銀に前記−２価セレンを吸着分離した後に、前記排水中の前記０価セレン及び／又は４価セレンを水酸化鉄と共沈させて分離する共沈処理ステップを実行することもできる。
【００１３】
このような形態では、−２価セレンは塩化銀に吸着した後にろ過分離され、０価セレン及び／又は４価セレンは水酸化鉄とともに共沈除去される。
【００１４】
さらに本発明は、別の側面で、石炭ガス化発電施設から排出される排水中に含まれるセレンを除去装置する排水処理装置であって、−２価セレン、０価セレン、４価セレン及び６価セレンが含まれた前記排水が流入する受入槽と、前記−２価セレンを過酸化水素水を用いて酸化させる酸化槽、又は前記−２価セレンを硝酸銀と塩酸との反応により生成される塩化銀を用いて吸着沈殿させる除去槽と、前記６価セレンを、還元剤を用いて前記０価セレン及び／又は４価セレンに還元する還元槽と、前記反応槽から流入した前記排水中の前記０価セレン及び４価セレンを鉄共沈させて沈殿分離する沈殿槽と、を備えていることを特徴とする。
【００１５】
このような排水処理装置では、例えば、石炭ガス化複合発電施設のような設備で発生する排水に含まれた−２価セレンを確実且つ容易に除去することができる。また、６価セレンは、０価セレン又は４価セレンに還元された後、他のセレンを除去する処理方法を利用して除去される。したがって、排水に含まれる形態の異なるセレンは確実且つ容易に取り除かれる。
【００１６】
また、前記酸化槽又は前記除去槽は、前記受入槽から流入した前記排水中の揮発性物質を除去する曝気槽であることが好適である。
【発明の効果】
【００１７】
本発明によれば、排水中に含まれる０価セレン、４価セレン及び６価セレンを除去するとともに、その他の形態である−２価セレンも除去することにより、排水中のセレンを確実且つ容易に除去するセレンの排水処理方法及び排水処理装置が提供される。
【図面の簡単な説明】
【００１８】
【図１】本発明に係る排水処理装置の実施の形態を示す模式的な断面図である。
【図２】図２（ａ）〜（ｃ）は、本発明に係る実施例の結果を示すグラフである。
【図３】本発明に係る実施例の結果を示すグラフである。
【発明を実施するための形態】
【００１９】
以下、本発明に係る排水処理装置の第一実施の形態について、添付図面を参照しながら詳細に説明する。
【００２０】
本実施の形態で用いられる排水は、典型的には、石炭ガス化複合発電処理又はボイラ排ガス処理で発生するセレンを含んだ排水である。前記処理で発生する粒子状又はガス状セレンは、捕集装置（集塵装置及び脱硫装置）にてある程度の量は捕集されるものの、捕集しきれなかったセレンは排水中に移行することとなる。セレンは、酸化数により−２価のセレン（以降、２価セレンとする）、０価のセレン（以降、０価セレンとする）、４価のセレン（以降、４価セレンとする）及び６価のセレン（以降、６価セレンとする）に区別することができる。より具体的には、排水中に含有するセレンとして、−２価セレン（主形態：セレノシアン酸イオン、ＳｅＣＮ−）、０価セレン（金属セレン）、４価セレン(主形態：亜セレン酸イオン、ＳｅＯ３２−）及び６価セレン(主形態：セレン酸イオン、ＳｅＯ４２−)がある。
【００２１】
図１は、本発明に係る排水処理装置１の一形態を示す模式的な断面図である。図１に示すように、排水処理装置１は、受入槽２と、曝気槽３と、反応槽４と、沈殿槽５と、を備えている。各槽は、反応を制御するために、必要に応じて、攪拌部、ヒータ、冷却器、温度センサ、濃度センサ、ｐＨセンサ、液面センサ、循環ポンプ、フィルタ等を備えることができる。
【００２２】
受入槽２は、セレンを含有する排水を受け入れるためのものであり、排水が流入するよう構成されている。
【００２３】
曝気槽３は、排水を曝気するためのものであり、流入した排水に対して曝気処理を行うよう構成されている。曝気槽３には、曝気処理を行うために、開口、散気管、エアレータ等を設置することができる。
【００２４】
曝気槽３の受入槽２側の一部には、受入槽２からの排水を流入する流入口３Ａが設けられている。また、曝気槽３の反応槽４側の一部には、反応槽４に排水を流出する流出口３Ｂが設けられている。曝気槽３内の流入口３Ａ及び／又は流出口３Ｂ付近は、−２価セレンを後述する反応槽４及び／又は沈殿槽５にて共沈分離可能な０価セレン及び／又は４価セレンに酸化させるように構成されている。すなわち、本実施の形態では、曝気槽３は酸化槽としても機能する。一方、曝気槽３の主要部では、排水中の揮発性物質を除去する。
【００２５】
反応槽４及び沈殿槽５は、排水中のセレンを共沈分離させるためのものであり、反応槽４及び／又は沈殿槽５にて共沈剤を添加することにより、排水中の０価セレン及び４価セレンを共沈分離するよう構成されている。
【００２６】
以上の装置構成を備える第一実施の形態に係る排水処理装置を用いた排水処理方法の第一実施の形態について、さらに詳細に説明する。
【００２７】
受入槽２に、セレンを含有する排水が流入する。流入した排水には、前述したように、化学的に形態の異なる複数のセレンが含有されている。
【００２８】
受入槽２を通過した排水は、曝気槽３に流入する。曝気槽３では、空気が送り込まれることにより曝気処理が行われる。曝気処理は、排水を噴出させたり、泡立たせたりして外気に晒して処理してよく、圧搾空気を散気管、エアレータ等により送り込んで処理してもよい。これにより、排水中の揮発性物質を除去することができる。
【００２９】
曝気槽３の流入口３Ａ及び／又は流出口３Ｂ付近では、−２価セレンを酸化するための過酸化水素水を添加する。これにより、過酸化水素と排水中の−２価セレンからなるセレノシアン酸化合物とが反応して、−２価セレンが０価及び／又は４価セレンに酸化される。したがって、曝気槽３において、排水中の揮発性物質を除去するとともに、−２価セレンを後述する共沈処理にて共沈分離可能な０価セレン及び／又は４価セレンに酸化させることができる。なお、このときのｐＨ、温度、濃度等の反応雰囲気又は反応時間及び反応条件は、添加剤、ヒータ、冷却器等により調整され得る。
【００３０】
曝気槽３と反応槽４との間又は反応槽４では、これにより、排水中の６価セレンを、後述する共沈処理にて共沈しやすい０価セレン及び／又は４価セレンに還元することができる。還元方法としては、例えば、硫化水素バブリング、ＳＯ２バブリング、白金還元を用いることができる。その他、還元剤として、例えば、塩化第一鉄、硫酸第一鉄等の第一鉄化合物を添加することができる。また、なお、６価セレンを還元する場合、生成された酸素等により排水のｐＨが変化すると、槽が腐食したり、還元速度が低下したりするため、必要に応じてｐＨ調整剤が添加される。
【００３１】
続いて、反応槽４や沈殿槽５では、共沈剤を添加する。共沈剤として、例えば、第二鉄化合物が添加されることにより、排水中の０価セレン及び／又は４価セレンは水酸化鉄とともに共沈分離される。前記第二鉄化合物としては、塩化第二鉄、塩化第二鉄・六水和物、硫酸第二鉄、等を用いることができる。なお、沈殿物の凝集を促進させるために、凝集剤を添加してもよい。また、このときのｐＨ、温度、濃度等の反応雰囲気又は反応時間及び反応条件は、添加剤、ヒータ、冷却器等により調整され得る。例えば、水酸化ナトリウム、塩酸、硫酸等をｐＨ調整剤として使用し、前記添加剤として、ポリ塩化アルミニウム（ＰＡＣ）、ポリ硫酸第二鉄、高分子重金属捕集剤（例えば、エポフロック）を用いることができる。
【００３２】
本実施の形態によれば、石炭ガス化複合発電施設のような設備又はボイラ排ガス処理の脱硫装置から発生する排水に含まれる−２価セレンを除去することにより、排水中の化学的形態の異なる全てのセレンを確実且つ容易に除去することができる。
【００３３】
以上、説明したように、前記排水に含まれる−２価セレンは、通常の除去方法により除去可能な０価セレン又は４価セレンに酸化した後、前記０価セレン及び４価セレンを除去できる従来の除去方法を利用して除去することができる。さらに、−２価セレンは、曝気槽３の曝気処理とともに、他の形態のセレンへ酸化されるため、酸化するための処理設備を別途設ける必要がない。したがって、排水処理設備のためのコストを増大することなく、排水に含まれる−２価セレンをより確実且つより容易に除去することができる。
【００３４】
さらに、本実施の形態では、前記排水に含まれる６価セレンを、通常の除去方法により除去可能な０価セレン又は４価セレンに酸化した後、前記０価セレン及び４価セレンを除去できる従来の除去方法を利用して除去することができる。したがって、排水処理設備のためのコストを増大することなく、排水に含まれる６価セレンをより確実且つより容易に除去することができる。
【００３５】
以下、本発明に係る排水処理装置の第二実施の形態について説明する。本実施の形態において曝気槽３以外の構成は、第一実施の形態と同じであるため説明を省略する。
【００３６】
本実施の形態に係る曝気槽３は、排水を曝気するためのものであり、流入した排水に対して曝気処理を行うよう構成されている。曝気槽３には、曝気処理を行うために、開口、散気管、エアレータ等を設置することができる。また、曝気槽３には、後述する−２価セレンを吸着した塩化銀を分離するための、図示しないポンプ、フィルタ等が設置されている。
【００３７】
曝気槽３の受入槽２側の一部には、受入槽２からの排水が流入される流入口３Ａが設けられている。また、曝気槽３の反応槽４側の一部には、反応槽４に排水を流出する流出口３Ｂが設けられている。本実施の形態に係る流入口３Ａ及び／又は流出口３Ｂ付近は、直接添加され又は排水中で生成された塩化銀に−２価セレンを吸着させることにより、ろ過分離するよう構成されている。すなわち、本実施の形態では、曝気槽３は除去槽としても機能する。一方、曝気槽３の主要部では、排水中の揮発性物質を除去する。
【００３８】
第一実施の形態に係る排水処理装置を用いた排水処理方法の第二実施の形態について、さらに詳細に説明する。
【００３９】
図１に示すように、前記セレン含有の排水は受入槽２に流入した後、曝気槽３に流入する。曝気槽３では、空気が送り込まれることにより、排水に対して曝気処理が行われる。曝気処理は、排水を噴出させたり、泡立たせたりして外気に晒して処理してよいし、圧搾空気を散気管、エアレータ等により送り込んで処理してもよい。これにより、排水中の揮発性物質を除去することができる。
【００４０】
曝気槽３の流入口３Ａ及び／又は流出口３Ｂ付近において、−２価セレンを吸着分離させるための塩化銀が添加される。これにより、排水中の−２価セレンは、添加された塩化銀に吸着する。より具体的には、銀イオンと−２価セレンであるセレノシアン酸イオンとは親和性が高いため、塩化銀粒子表面へセレノシアン酸イオンが吸着する。セレノシアン酸を吸着した塩化銀をろ過分離することにより、曝気槽３にて排水の揮発性物質を除去するとともに、−２価セレンを除去することができる。また、前記した塩化銀の他、塩化銅又は硫酸銅を用いることができる。前記塩化銀は、市販のものでもよいが、硝酸銀水溶液と塩酸との反応により生成されてもよい。なお、このときのｐＨ、温度、濃度等の反応雰囲気又は反応時間及び反応条件は、添加剤、ヒータ、冷却器等により調整され得る。
【００４１】
曝気槽３と反応槽４との間又は反応槽４では、還元剤を添加する。これにより、排水中の６価セレンは、後述する共沈処理にて共沈分離可能な０価セレン及び／又は４価セレンに還元される。還元方法としては、例えば、硫化水素バブリング、ＳＯ２バブリング、白金還元を用いることができる。その他、還元剤として、例えば、塩化第一鉄、硫酸第一鉄等の第一鉄化合物を添加することができる。なお、セレンを還元する場合、生成された酸素等により排水のｐＨが変化すると、槽が腐食したり、還元速度が低下したりするため、必要に応じてｐＨ調整剤が添加される。
【００４２】
続いて、反応槽４及び／又は沈殿槽５では、例えば、第二鉄化合物が添加されることにより、排水中の０価セレン及び４価セレンが水酸化鉄とともに共沈分離される。前記第二鉄化合物としては、塩化第二鉄、塩化第二鉄・六水和物、硫酸第二鉄等を用いることができる。なお、水酸化鉄を主成分とする沈殿物の凝集を促進させるために、凝集剤を添加してもよい。このときのｐＨ、温度、濃度等の反応雰囲気又は反応時間及び反応条件は、添加剤、ヒータ、冷却器等により調整され得る。水酸化ナトリウム、塩酸、硫酸等をｐＨ調整剤として使用し、前記添加剤として、例えば、ポリ塩化アルミニウム（ＰＡＣ）、ポリ硫酸第二鉄、高分子重金属捕集剤（例えば、エポフロック）を用いることができる。
【００４３】
本実施の形態によれば、前述した実施の形態と同様に、石炭ガス化複合発電施設のような設備又はボイラ排ガス処理の脱硫装置から発生する排水に含まれる−２価セレンを除去することにより、排水中の化学的形態の異なる全てのセレンが確実且つ容易に除去される。
【００４４】
また、前記排水中に含まれる前記−２価セレンは曝気槽３にて分離・除去される。したがって、排水処理設備のためのコストを増大することなく、排水に含まれる−２価セレンをより確実且つより容易に取り除くことができる。
【００４５】
なお、前述した第一、第二実施の形態において、受入槽２、曝気槽３、反応槽４、沈殿槽５及びそれらの間に、配管を設けることはもちろんだが、排水の流出入又は処理上の便宜を考慮して、別途反応槽又は沈殿槽を設けてもよい。これら配管、反応槽又は沈殿槽には、必要に応じて、攪拌部、ヒータ、冷却器、温度センサ、濃度センサ、ｐＨセンサ、液面センサ、循環ポンプ、フィルタ等、その他反応条件を制御する機構を設けることができる。
【００４６】
また、前述した第一、第二実施の形態において、６価セレンを０価セレン及び／又は４価セレンに還元する還元処理は、反応槽４又は曝気槽３と反応槽４との間で実施される例を示したが、排水処理にて全てのセレンが分離処理できれば、様々なタイミングで６価セレンの還元処理を実施することができる。例えば、受理槽２、受入槽２と曝気槽３との間又は反応槽４と沈殿槽５との間で６価セレンを還元してもよく、前述したように、配管、別途設けられた反応槽又は沈殿槽で６価セレンを還元してもよい。さらに、曝気槽３（酸化槽）において、−２価セレンを酸化するために用いなかった流入口３Ａ又は流出口３Ｂのうちの一方の付近を、６価セレンを還元する還元槽として用いてもよい。６価セレンの還元処理は、排水処理条件や装置構成等、工程上の便宜を図ったタイミングで実施することができる。
【００４７】
さらに、曝気槽３では、排水中の微生物を活性化させて生物学的還元処理を行うこともできる。これにより、曝気槽３にて６価セレンを還元することもできる。
【００４８】
さらにまた、前述した第一、第二実施の形態においては、０価セレン、４価セレン及び６価セレンの還元分離処理方法及び吸着分離処理方法を例示した。しかしながら、これら方法は、排水処理においてセレンの分離が可能な方法を選択すればよい。セレンの還元分離処理方法及び吸着分離処理方法としては、前述した鉄共沈法、イオン交換樹脂吸着法及び微生物処理方法に加え、紫外線還元法、ヒドラジン還元法、光触媒還元法、電解還元法、フェライト沈殿法、活性炭、活性アルミナ、ゼオライト、チタン酸若しくはジルコニア水和物を用いた吸着法、膜分離法又はそれらを組合せた方法を用いることができる。なお、前記分離処理方法及び除去処理方法を用いる場合は、処理に適した添加剤が用いられる。
【００４９】
さらにまた、前述した第一、第二実施の形態においては、本発明に係る排水処理方法及び排水処理装置１を石炭ガス化複合発電処理の排水に適用した例を示したが、本発明はこれに限定されない。本発明に係る排水処理方法及び排水処理装置は、セレンを含んだ排水、例えば、金属製造業、金属精錬業、ガラス製造業、鉱山等における排水にも適用できることはもちろんである。
【実施例】
【００５０】
以下、実施例によって本発明をさらに具体的に説明するが、本発明に係る排水処理方法及び排水処理装置は以下実施例によって制限されるものではない。
【００５１】
［実施例１］
（サンプル作製）
（１）排ガスを含んだ排水を３００ｍｌ準備し、１００倍希釈して、サンプル１の溶液を得た。
（２）（１）に用いた排水３００ｍｌに過酸化水素を１５．０ｍｌ添加し、イオン交換処理した後、１００倍希釈して、サンプル２の溶液を得た。
（３）硝酸銀水溶液に塩酸を添加した溶液をろ過し、ろ紙上に５００ｍｇの塩化銀を分離した。前記ろ紙上に（１）に用いた排水を約１００通水し、その液をサンプル３の溶液として得た。
【００５２】
（測定）
サンプル１〜３について、イオンクロマトグラフィーによる分析を行った。前記分析においては、感度の高さから、紫外可視吸光度検出器（ＵＶ／ ＶＩＳ）を用いた検出法を選択し、測定波長（λ）を２１０ｎｍとした。
【００５３】
サンプル１〜３に対する分析の結果をそれぞれ図２（ａ）、（ｂ）及び（ｃ）に示す。図２（ａ）、（ｂ）及び（ｃ）において、横軸の単位は保持時間（分）であり、縦軸の単位は信号強度（ｍＡＵ）である。
【００５４】
図２（ａ）に示すように、サンプル１において、イオン濃度が０．２７ｍｇ／Ｌのセレノシアン酸イオン（ＳｅＣＮ−）のピークが見られた。また、図２（ｂ）及び（ｃ）に示すように、Ｈ２Ｏ２処理を行ったサンプル２及び塩化銀処理を行ったサンプル３において、ＳｅＣＮ−ピークの減少が確認された。これらの結果より、Ｈ２Ｏ２処理及び塩化銀処理により、ＳｅＣＮ−が減少することが分かった。
【００５５】
［実施例２］
（測定）
サンプル２に対してイオンクロマトグラフィー分析を行い、亜セレン酸イオン（Ｓｅ４＋）及びセレン酸イオン（Ｓｅ６＋）のピーク変化を解析した。なお、検出法については、実施例１と同様に、紫外可視吸光度検出器（ＵＶ／ ＶＩＳ）を用いた検出法を選択し、測定波長（λ）を２１０ｎｍとした。
【００５６】
サンプル２において、亜セレン酸イオン（Ｓｅ４＋）のピークが検出され、Ｓｅ６＋のピークは検出されなかった。この結果より、排水中のセレノシアン酸イオン（ＳｅＣＮ−）は、Ｈ２Ｏ２処理により、亜セレン酸イオン（Ｓｅ４＋）に酸化処理されサンプル２中にてセレン酸（ＳｅＯ３２−）の形で存在していると考えられる。
【産業上の利用可能性】
【００５７】
本発明に係る排水処理方法及び排水処理装置によれば、排水に含まれる０価セレン、４価セレン及び６価セレンを除去するとともに、その他の形態である−２価セレンも除去することにより、排水中のセレンを確実且つ容易に除去する。
【符号の説明】
【００５８】
１  排水処理装置
２  受入槽
３  曝気槽
３Ａ  流入口
３Ｂ  流出口
４  反応槽
５  沈殿槽
【図１】
2015077553.tif 000003
【図２】
2015077553.tif 000004
【図３】
2015077553.tif 000005